【手続補正書】
【提出日】平成16年10月15日(2004.10.15)
【手続補正１】
【補正対象書類名】明細書
【補正対象項目名】特許請求の範囲
【補正方法】変更
【補正の内容】
【特許請求の範囲】
【請求項１】
メインコンデンサと、前記メインコンデンサの正極に対して正極が接続される閃光管と、前記閃光管の負極に接続される第１制御素子を設け、前記第１制御素子を繰返しオンオフさせることで繰返し発光を行う閃光装置において、
前記閃光管の負極に一方の極を接続し他方の極を抵抗を介して前記メインコンデンサの負極に接続する電圧加算用コンデンサと、前記第１制御素子がオンの時前記電圧加算用コンデンサの他方の極の電位を前記閃光管の負極に印加する第２制御素子とを設け、初回の閃光発光動作終了時点の前記第１制御素子のオフ動作により前記電圧加算用コンデンサに対しての初回の充電をイオン化状態にある前記閃光管並びにダイオードを介して行い、以後前記第１制御素子がオンの時に前記閃光管の両端に前記メインコンデンサの電位と前記電圧加算用コンデンサの充電電位の加算電圧を印加すると共に、前記第１制御素子がオフの時前記電圧加算用コンデンサへの充電を行うことを特徴とする閃光装置。
【請求項２】
メインコンデンサと、前記メインコンデンサの正極に対して正極が接続される閃光管と、前記閃光管の負極に接続される第１制御素子を設け、前記第１制御素子を繰返しオンオフさせることで繰返し発光を行う閃光装置において、
前記閃光管の負極に一方の極を接続し他方の極を抵抗を介して前記メインコンデンサの負極に接続する電圧加算用コンデンサと、前記第１制御素子がオンの時前記電圧加算用コンデンサの他方の極の電位を前記閃光管の負極に印加する第２制御素子とを設け、初回の閃光発光動作終了時点の前記第１制御素子のオフ動作により前記電圧加算用コンデンサに対しての初回の充電をイオン化状態にある前記閃光管並びにダイオードを介して行い、以後前記第１制御素子がオンの時に前記閃光管の両端に前記メインコンデンサの電位と前記電圧加算用コンデンサの充電電位の加算電圧を印加すると共に、前記第１制御素子がオフの時前記電圧加算用コンデンサへの充電を行い、且つ前記電圧加算用コンデンサの充電電圧を次回の発光開始動作に応答して動作して前記メインコンデンサの充電電圧に重畳して前記閃光管の両端に印加する電圧印加手段を有することを特徴とする閃光装置。
【請求項３】
メインコンデンサと、前記メインコンデンサの正極に対して正極が接続される閃光管と、前記閃光管の負極に接続される第１制御素子を設け、該第１制御素子を繰返しオンオフさせることで繰返し発光を行う通信光発光装置において、
前記閃光管の負極に一方の極を接続し他方の極を抵抗を介して前記メインコンデンサの負極に接続する電圧加算用コンデンサと、前記第１制御素子がオンの時前記電圧加算用コンデンサの他方の極の電位を前記閃光管の負極に印加する第２制御素子とを設け、初回の閃光発光動作終了時点の前記第１制御素子のオフ動作により前記電圧加算用コンデンサに対しての初回の充電をイオン化状態にある前記閃光管並びにダイオードを介して行い、以後前記第１制御素子がオンの時に前記閃光管の両端に前記メインコンデンサの電位と前記電圧加算用コンデンサの充電電位の加算電圧を印加すると共に、前記第１制御素子がオフの時前記電圧加算用コンデンサへの充電を行うことを特徴とする通信光発光装置。
【請求項４】
メインコンデンサと、前記メインコンデンサの正極に対して正極が接続される閃光管と、前記閃光管の負極に接続される第１制御素子を設け、前記第１制御素子を繰返しオンオフさせることで繰返し発光を行う通信光発光装置において、
前記閃光管の負極に一方の極を接続し他方の極を抵抗を介して前記メインコンデンサの負極に接続する電圧加算用コンデンサと、前記第１制御素子がオンの時前記電圧加算用コンデンサの他方の極の電位を前記閃光管の負極に印加する第２制御素子とを設け、初回の閃光発光動作終了時点の前記第１制御素子のオフ動作により前記電圧加算用コンデンサに対しての初回の充電をイオン化状態にある前記閃光管並びにダイオードを介して行い、以後前記第１制御素子がオンの時に前記閃光管の両端に前記メインコンデンサの電位と前記電圧加算用コンデンサの充電電位の加算電圧を印加すると共に、前記第１制御素子がオフの時前記電圧加算用コンデンサへの充電を行い、且つ前記電圧加算用コンデンサの充電電圧を次回の発光開始動作に応答して動作して前記メインコンデンサの充電電圧に重畳して前記閃光管の両端に印加する電圧印加手段を有することを特徴とする通信光発光装置。
【請求項５】
メインコンデンサと、前記メインコンデンサの正極に対して正極が接続される閃光管と、前記閃光管の負極に接続される第１制御素子を設け、前記第１制御素子を繰返しオンオフさせることで繰返し発光を行う閃光装置において、
前記閃光管の負極に一方の極を接続し他方の極を抵抗を介して前記メインコンデンサの負極に接続する電圧加算用コンデンサと、前記第１制御素子がオンの時前記電圧加算用コンデンサの他方の極の電位を前記閃光管の負極に印加する第２制御素子と、前記電圧加算用コンデンサの一方の極と前記メインコンデンサの正極との間に接続される第３制御素子と、前記第３制御素子のオンオフ動作を制御する動作制御手段とを設け、前記第３制御素子がオンの時前記電圧加算用コンデンサに対しての初回の充電を前記第３制御素子を介して行い、前記第３制御素子がオフの時前記電圧加算用コンデンサに対しての初回の充電を初回の閃光発光動作終了時点の前記第１制御素子のオフ動作によりイオン化状態にある前記閃光管並びにダイオードを介して行い、前記電圧加算用コンデンサが充電された以降は前記第１制御素子がオンの時に前記閃光管の両端に前記メインコンデンサの電位と前記電圧加算用コンデンサの充電電位の加算電圧を印加すると共に、前記第１制御素子がオフの時前記電圧加算用コンデンサへの充電を行うことを特徴とする閃光装置。
【請求項６】
前記動作制御手段は、前記閃光管の発光動作を開始させるために供給される発光起動信号に応答して第３制御素子を、電圧加算用コンデンサの前記第３制御素子を介しての充電を十分に完了することができる所定期間オンさせる第１動作状態と、前記第３制御素子をオンさせない第２動作状態を選択して設定する請求項５に記載の閃光装置。
【請求項７】
メインコンデンサと、前記メインコンデンサの正極に対して正極が接続される閃光管と、前記閃光管の負極に接続される第１制御素子を設け、前記第１制御素子を繰返しオンオフさせることで繰返し発光を行う通信光発光装置において、
前記閃光管の負極に一方の極を接続し他方の極を抵抗を介して前記メインコンデンサの負極に接続する電圧加算用コンデンサと、前記第１制御素子がオンの時前記電圧加算用コンデンサの他方の極の電位を前記閃光管の負極に印加する第２制御素子と、前記電圧加算用コンデンサの一方の極と前記メインコンデンサの正極との間に接続される第３制御素子と、前記第３制御素子のオンオフ動作を制御する動作制御手段とを設け、前記第３制御素子がオンの時前記電圧加算用コンデンサに対しての初回の充電を前記第３制御素子を介して行い、前記第３制御素子がオフの時前記電圧加算用コンデンサに対しての初回の充電を初回の閃光発光動作終了時点の前記第１制御素子のオフ動作によりイオン化状態にある前記閃光管並びにダイオードを介して行い、前記電圧加算用コンデンサが充電された以降は前記第１制御素子がオンの時に前記閃光管の両端に前記メインコンデンサの電位と前記電圧加算用コンデンサの充電電位の加算電圧を印加すると共に、前記第１制御素子がオフの時前記電圧加算用コンデンサへの充電を行うことを特徴とする通信光発光装置。
【請求項８】
前記動作制御手段は、前記閃光管の発光動作を開始させるために供給される発光起動信号に応答して第３制御素子を、電圧加算用コンデンサの前記第３制御素子を介しての充電を十分に完了することができる所定期間オンさせる第１動作状態と、前記第３制御素子をオンさせない第２動作状態を選択して設定する請求項７に記載の通信光発光装置。